【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
ａ．約０．１重量％〜約９５重量％の１種又は２種以上のポリアニオン性ポリマーと、
ｂ．約０．１重量％〜約９０重量％の１種又は２種以上のポリカチオン性ポリマーと、
ｃ．約０．１重量％〜９９．８重量％の溶媒とからなる、生体適合性ポリマーゲル組成物。
【請求項２】
前記１種又は２種以上のポリアニオン性ポリマーが、少なくとも１種の架橋性ポリアニオン性ポリマーを含む、請求項１に記載の生体適合性ポリマーゲル組成物。
【請求項３】
少なくとも１種の架橋性ポリアニオン性ポリマーが、ポリスチレンスルホネート、ポリアクリレート、ポリメタクリレート、ポリビニルスルフェート、ポリホスフェート、ι−カラギーナン、κ−カラギーナン、ゲランガム、カルボキシルメチルセルロース、カルボキシルメチルアガロース、カルボキシルメチルデキストラン、カルボキシルメチルキチン、カルボキシルメチルキトサン、カルボキシルメチル基で修飾されたポリマー、アルギネート、複数のカルボキシル基を含むポリマー、およびキサンタンガムからなる群から選択される、請求項１または請求項２に記載の生体適合性ポリマーゲル組成物。
【請求項４】
１種又は２種以上の架橋性ポリアニオン性ポリマーが、ポリスチレンスルホン酸ナトリウム、ポリアクリル酸ナトリウム、ポリメタクリル酸ナトリウム、ポリビニル硫酸ナトリウム、ポリリン酸ナトリウム、およびアルギン酸ナトリウムからなる群から選択される、請求項３に記載の生体適合性ポリマーゲル組成物。
【請求項５】
前記１種又は２種以上のポリカチオン性ポリマーが、キトサン、キチン、ジエチルアミノエチル−デキストラン、ジエチルアミノエチル−セルロース、ジエチルアミノエチル−アガロース、ジエチルアミノエチル−アルギネート、ジエチルアミノエチル基で修飾されたポリマー、複数のプロトン化されたアミノ基を含むポリマー、および平均残基等電点が７を超えるポリペプチドからなる群から選択される、請求項１または請求項２に記載の生体適合性ポリマーゲル組成物。
【請求項６】
少なくとも１種の前記架橋性ポリアニオン性ポリマーが、水素結合によって少なくとも１種の前記ポリカチオン性ポリマーと架橋結合している、請求項１に記載の生体適合性ポリマーゲル組成物。
【請求項７】
少なくとも１種の前記架橋性ポリアニオン性ポリマーが、共有結合によって少なくとも１種の前記ポリカチオン性ポリマーと架橋結合している、請求項１に記載の生体適合性ポリマーゲル組成物。
【請求項８】
請求項１、請求項２、または請求項３に記載の生体適合性ポリマーゲル組成物上に保護コートをインサイチューで形成する方法であって、前記保護コートが、
ａ．約０．１重量％〜約３０重量％の二価以上のカチオンと、
ｂ．約５重量％〜約９９．９重量％の溶液溶媒と、
を含んでいる溶液を含む方法。
【請求項９】
前記溶液溶媒が、水、エタノール、酢酸アミル、アセトン、メチルエチルケトン、イソプロパノール、およびテトラヒドロフランからなる群から選択される、請求項８に記載の方法。
【請求項１０】
前記二価以上のカチオンが、Ｃａ２＋、Ｆｅ２＋、Ｆｅ３＋、Ａｇ２＋、Ａｇ３＋、Ａｕ２＋、Ａｕ３＋、Ｍｇ２＋、Ｃｕ２＋、Ｃｕ３＋、およびＺｎ２＋の塩からなる群から選択される、請求項８に記載の方法。
【請求項１１】
傷を治療するための請求項１に記載の生体適合性ポリマーゲル組成物であって、傷に直接施用することを含む該生体適合性ポリマーゲル組成物。
【請求項１２】
前記傷が、外部裂傷、擦り傷、火傷、眼球裂傷、実質組織の損傷、内部裂傷、消化管裂傷、表面切り傷およびかすり傷、内出血、動脈出血、静脈出血、歯のまたは口腔の出血および切開からなる群から選択される、請求項１１に記載の生体適合性ポリマーゲル組成物。
【請求項１３】
傷に圧力を加える必要なしで速やかに止血を実現するための請求項１に記載の生体適合性ポリマーゲル組成物であって、傷に直接施用することを含む該生体適合性ポリマーゲル組成物。
【請求項１４】
馬、羊、牛、豚、犬、猫、クジラ、イルカ、アザラシ、カワウソ、魚、爬虫類からなる群から選択される動物において、請求項１に記載の生体適合性ポリマーゲル組成物の傷に直接施用することを含む、傷を治療する方法。
【請求項１５】
前記傷が、外部裂傷、擦り傷、火傷、眼球裂傷、実質組織の損傷、内部裂傷、消化管裂傷、表面切り傷およびかすり傷、内出血、動脈出血、静脈出血、歯のまたは口腔の出血および切開からなる群から選択される、請求項１４に記載の方法。
【請求項１６】
馬、羊、牛、豚、犬、猫、クジラ、イルカ、アザラシ、カワウソ、魚、爬虫類からなる群から選択される動物において、請求項１に記載の生体適合性ポリマーゲル組成物を傷に直接施用することを含む、傷に圧力を加える必要なしで速やかに止血を実現する方法。
【請求項１７】
ａ．１種又は２種以上の前記ポリアニオン性ポリマーが約１重量％〜約２０重量％のアルギン酸ナトリウムであり、
ｂ．１種又は２種以上の前記ポリカチオン性ポリマーが約２重量％〜約２０重量％の塩化キトサンであり、
ｃ．前記溶媒が約５５重量％〜約９６重量％の、エタノールを水に溶解した５％水溶液である、請求項１記載の生体適合性ポリマーゲル組成物。
【請求項１８】
ａ．前記二価以上のカチオンが、約０．１重量％〜約１重量％の塩化カルシウムであり、
ｂ．前記溶液溶媒が約９４重量％〜約９８．９重量％の酢酸アミルである、
請求項８に記載の生体適合性ポリマーゲル組成物上に保護コートをインサイチューで形成する方法。
【請求項１９】
前記溶媒が、水、エタノール、酢酸アミル、アセトン、メチルエチルケトン、イソプロパノール、およびテトラヒドロフランからなる群から選択される、請求項１に記載の生体適合性ポリマーゲル組成物。
【請求項２０】
ａ．１種又は２種以上の前記ポリアニオン性ポリマーが約０．１重量％〜約５重量％のアルギン酸ナトリウムであり、
ｂ．１種又は２種以上の前記カチオン性ポリマーが約２重量％〜約２５重量％のキトサンであり、
ｃ．前記溶媒が６５重量％〜９６．９重量％のエタノールを水に溶解した５％水溶液である、
請求項１に記載の生体適合性ポリマーゲル組成物。
【請求項２１】
ａ．１種又は２種以上の前記ポリアニオン性ポリマーが約２重量％〜約５重量％のアルギン酸ナトリウムであり、
ｂ．１種又は２種以上の前記カチオン性ポリマーが約５重量％〜約２０重量％のキトサンであり、
ｃ．前記溶媒が７３重量％〜９３重量％のエタノールを水に溶解した５％水溶液である、
請求項２０に記載の生体適合性ポリマーゲル組成物。
【請求項２２】
ａ．１種又は２種以上の前記ポリアニオン性ポリマーが約０．１重量％〜約４重量％のアルギン酸ナトリウムであり、
ｂ．１種又は２種以上の前記カチオン性ポリマーが約２重量％〜約２５重量％のキトサンであり、
ｃ．前記溶媒が６５重量％〜９３重量％のエタノールを水に溶解した５％水溶液である、
請求項２０記載の生体適合性ポリマーゲル組成物。
【請求項２３】
ａ．１種又は２種以上の前記ポリアニオン性ポリマーが約３．６重量％のアルギン酸ナトリウムであり、
ｂ．１種又は２種以上の前記カチオン性ポリマーが約７重量％のキトサンであり、
ｃ．前記溶媒が約８９．４重量％のエタノールを水に溶解した５％水溶液である、
請求項１に記載の生体適合性ポリマーゲル組成物。
【請求項２４】
前記溶媒が水である、請求項２３記載の生体適合性ポリマーゲル組成物。
【手続補正２】
【補正対象書類名】明細書
【補正対象項目名】００４４
【補正方法】変更
【補正の内容】
【００４４】
一態様では、傷を治療する方法は、１種又は２種以上のポリアニオン性ポリマーを傷に施用し、次いで１種又は２種以上のポリカチオン性ポリマーを傷の部位で前記１種又は２種以上の重合したポリマーに施用することを含む。一態様では、傷を治療する方法は、１種又は２種以上のポリアニオン性ポリマーを１種又は２種以上のポリカチオン性ポリマーと混合し、次いでその混合物を傷に施用することを含む。一態様では、傷を治療する方法は、１種又は２種以上のポリアニオン性ポリマーを、１種又は２種以上のポリカチオン性ポリマーを傷に施用するのと同時にまたはほぼ同時に傷に施用することを含む。
以下に、当初の特許請求の範囲に記載していた発明を付記する。
［１］
ａ．約０．１重量％〜約９５重量％の１種又は２種以上のポリアニオン性ポリマーと、
ｂ．約０．１重量％〜約９０重量％の１種又は２種以上のポリカチオン性ポリマーと、
ｃ．０．１重量％〜９９．８重量％の水とを含む、生体適合性ポリマー組成物。
［２］
前記１種又は２種以上のポリアニオン性ポリマーが、少なくとも１種の架橋性ポリアニオン性ポリマーを含む、［１］に記載の生体適合性ポリマー組成物。
［３］
前記１種又は２種以上のポリアニオン性ポリマーが、少なくとも１種の非架橋性ポリアニオン性ポリマーをさらに含む、［２］に記載の生体適合性ポリマー組成物。
［４］
少なくとも１種の架橋性ポリアニオン性ポリマーが、ポリスチレンスルホネート、ポリアクリレート、ポリメタクリレート、ポリビニルスルフェート、ポリホスフェート、ι−カラギーナン、κ−カラギーナン、ゲランガム、カルボキシルメチルセルロース、カルボキシルメチルアガロース、カルボキシルメチルデキストラン、カルボキシルメチルキチン、カルボキシルメチルキトサン、カルボキシルメチル基で修飾されたポリマー、アルギネート、複数のカルボキシル基を含むポリマー、およびキサンタンガムからなる群から選択される、［３］に記載の生体適合性ポリマー組成物。
［５］
１種又は２種以上の架橋性ポリアニオン性ポリマーが、ポリスチレンスルホン酸ナトリウム、ポリアクリル酸ナトリウム、ポリメタクリル酸ナトリウム、ポリビニル硫酸ナトリウム、ポリリン酸ナトリウム、およびアルギン酸ナトリウムからなる群から選択される、［４］に記載の生体適合性ポリマー組成物。
［６］
少なくとも１種の非架橋性ポリアニオン性ポリマーが、ヒアルロン酸、ポリヌクレオチド、平均残基等電点が７未満であるポリペプチド鎖、グルコサミノグリカン、およびプロテオグリカンからなる群から選択される、［３］に記載の生体適合性ポリマー組成物。
［７］
少なくとも１種の非架橋性ポリアニオン性ポリマーが、ヒアルロン酸ナトリウムまたはＲＮＡからなる群から選択される、［６］に記載の生体適合性ポリマー組成物。
［８］
前記１種又は２種以上のポリカチオン性ポリマーが、キトサン、キチン、ジエチルアミノエチル−デキストラン、ジエチルアミノエチル−セルロース、ジエチルアミノエチル−アガロース、ジエチルアミノエチル−アルギネート、ジエチルアミノエチル基で修飾されたポリマー、複数のプロトン化されたアミノ基を含むポリマー、および平均残基等電点が７を超えるポリペプチドからなる群から選択される、［３］に記載の生体適合性ポリマー組成物。
［９］
少なくとも１種の架橋性ポリアニオン性ポリマーが、水素結合によって少なくとも１種のポリカチオン性ポリマーと架橋結合している、［３］に記載の生体適合性ポリマー組成物。
［１０］
少なくとも１種の架橋性ポリアニオン性ポリマーが、共有結合によって少なくとも１種のポリカチオン性ポリマーと架橋結合している、［３］に記載の生体適合性ポリマー組成物。
［１１］
抗菌剤、抗生物質、ホルモン、タンパク質、およびヨウ素からなる群から選択される治療薬をさらに含む、［３］に記載の生体適合性ポリマー組成物。
［１２］
ａ．約０．１重量％〜約３０重量％の二価以上のカチオンと、
ｂ．０重量％〜約９０重量％の疎水性ポリマーと、
ｃ．約５重量％〜約９９．９重量％の溶媒とを含む溶液を添加することを含む、［１］に記載のポリマー組成物上に保護コートをインサイチューで形成する方法。
［１３］
前記疎水性ポリマーが、ポリウレタン、ニトロセルロース、シアノアクリレート、スチレン、ポリテトラフルオロエタン、およびシリコーンからなる群から選択される、［１２］に記載の方法。
［１４］
前記溶媒が、水、酢酸アミル、アセトン、メチルエチルケトン、イソプロパノール、およびテトラヒドロフランからなる群から選択される、［１２］に記載の方法。
［１５］
前記二価以上のカチオンが、Ｃａ２＋、Ｆｅ２＋、Ｆｅ３＋、Ａｇ２＋、Ａｇ３＋、Ａｕ２＋、Ａｕ３＋、Ｍｇ２＋、Ｃｕ２＋、Ｃｕ３＋、およびＺｎ２＋の塩からなる群から選択される、［１２］に記載の方法。
［１６］
［１］に記載の生体適合性ポリマー組成物を傷に直接施用することを含む、傷を治療する方法。
［１７］
前記傷が、外部裂傷、擦り傷、火傷、眼球裂傷、実質組織の損傷、内部裂傷、消化管裂傷、表面切り傷およびかすり傷、内出血、動脈出血、静脈出血、歯のまたは口腔の出血および切開からなる群から選択される、［１６］に記載の方法。
［１８］
［１］に記載の生体適合性ポリマー組成物を傷に直接施用することを含む、傷圧力を加える必要なしで速やかに止血を実現する方法。
［１９］
ａ．約１重量％〜約２０重量％のアルギン酸ナトリウムと、
ｂ．約１重量％〜約５重量％のヒアルロン酸ナトリウムと、
ｃ．約２重量％〜約２０重量％の塩化キトサンと、
ｄ．５５重量％〜９６重量％の、エタノールを水に溶解した５％水溶液とを含む、生体適合性ポリマー組成物。
［２０］
ａ．約０．１重量％〜約１重量％の塩化カルシウムと、
ｂ．約１重量％〜約５重量％のニトロセルロースと、
ｃ．約９４重量％〜約９８．９重量％の酢酸アミルとを含む溶液を添加することを含む、［１９］に記載のポリマー組成物上に保護コートをインサイチューで形成する方法。
［２１］
前記溶媒が、水、エタノール、酢酸アミル、アセトン、メチルエチルケトン、イソプロパノール、およびテトラヒドロフランからなる群から選択される、［１］に記載の生体適合性ポリマー組成物。